(57)【特許請求の範囲】
【請求項１】
光源ランプ及び前記光源ランプを内部に収納するハウジングを有する光源装置と、
前記ハウジングから排出される空気が流通するダクトと、
前記ダクト内を流通する空気を前記ダクト外に排出するファンと、を備え、
前記ハウジングは、当該ハウジング内の空気を排出する排気口を有し、
前記ダクトは、
前記排気口に対向し、当該排気口から排出された空気を当該ダクト内に導入する導入口と、
前記導入口から導入された空気を分岐させる分岐部と、
前記排気口の端縁を結ぶ開口面に対して直交し、かつ、前記排気口から前記導入口に向かう方向である第１方向に沿って前記分岐部から延出し、前記分岐部を介して前記導入口から導入された空気が流通可能な第１ダクト部と、
前記第１方向に対して交差する第２方向に沿って前記分岐部から延出し、前記分岐部を介して前記導入口から導入された空気が流通可能な第２ダクト部と、を有し、
前記ファンは、前記第２ダクト部を流通する空気を吸引する位置に配置され、
前記第１ダクト部は、
当該第１ダクト部を形成する複数の側壁部と、
前記複数の側壁部のうち少なくともいずれかに形成され、当該第１ダクト部を流通する空気を当該第１ダクト部外に排出する開口部と、
前記開口部を覆うメッシュと、を有することを特徴とするプロジェクター。
【請求項２】
請求項１に記載のプロジェクターにおいて、
前記開口部は、前記第１ダクト部を流通する空気を前記ダクト外に排出するダクト側排気口であることを特徴とするプロジェクター。
【請求項３】
請求項１に記載のプロジェクターにおいて、
前記第１ダクト部は、前記第１方向に延出した後、前記第２方向に沿って延出し、
前記開口部は、前記複数の側壁部のうち、前記第２方向側に位置する側壁部に形成されて、前記第１ダクト部と前記第２ダクト部とを連通させることを特徴とするプロジェクター。
【発明の詳細な説明】
【技術分野】
【０００１】
本発明は、プロジェクターに関する。
【背景技術】
【０００２】
従来、光源装置から出射された光を変調して画像情報に応じた画像を形成し、当該画像をスクリーン等の被投射面に拡大投射して表示するプロジェクターが知られている。このようなプロジェクターには、超高圧水銀ランプ等の光源ランプと、当該光源ランプを内部に収納するハウジングと、を備えた光源装置が用いられることが多い。
【０００３】
ここで、光源ランプは、経年劣化等によって破裂する可能性がある。この場合、光源装置を交換する必要があるが、光源ランプの破片が外部に飛散しないようにする必要もある。このため、上記ハウジング内に冷却空気を導入する導入口、及び、ハウジング外に冷却空気を排出する排出口のそれぞれにメッシュを設けた光源装置が知られている（例えば、特許文献１参照）。
【先行技術文献】
【特許文献】
【０００４】
【特許文献１】特開２０１３−１１７７４２号公報
【発明の概要】
【発明が解決しようとする課題】
【０００５】
ここで、光源ランプの比較的大きな破片は、上記メッシュによりハウジング外に飛散することが抑えられる。しかしながら、比較的小さな破片（粉塵）は、光源ランプが破裂した際の爆圧によって当該メッシュを通過してしまうことがある。このような破片が、光源装置の交換時等にてプロジェクター外に飛散することを抑制するために、上記メッシュの目を細かくすることが考えられる。
しかしながら、メッシュの目を細かくすると、当該メッシュを空気が通過する際の抵抗が大きくなってしまうため、光源ランプを冷却した空気の排出効率が低下し、ひいては、光源ランプの冷却効率が低下するという問題がある。
特に、近年のプロジェクターでは、発光輝度が高い光源ランプが採用されることが多くなっており、これに伴い、点灯時の光源ランプの温度が以前にも増して高くなっている。このことから、冷却効率が低下することによる問題は顕著となる。
【０００６】
本発明は、冷却効率の低下を抑制しつつ、破裂時の光源ランプの破片の飛散を抑制できるプロジェクターを提供することを目的の１つとする。
【課題を解決するための手段】
【０００７】
本発明の一態様に係るプロジェクターは、光源ランプ及び前記光源ランプを内部に収納するハウジングを有する光源装置と、前記ハウジングから排出される空気が流通するダクトと、前記ダクト内を流通する空気を前記ダクト外に排出するファンと、を備え、前記ハウジングは、当該ハウジング内の空気を排出する排気口を有し、前記ダクトは、前記排気口に対向し、当該排気口から排出された空気を当該ダクト内に導入する導入口と、前記導入口から導入された空気を分岐させる分岐部と、前記排気口の端縁を結ぶ開口面に対して直交し、かつ、前記排気口から前記導入口に向かう方向である第１方向に沿って前記分岐部から延出し、前記分岐部を介して前記導入口から導入された空気が流通可能な第１ダクト部と、前記第１方向に対して交差する第２方向に沿って前記分岐部から延出し、前記分岐部を介して前記導入口から導入された空気が流通可能な第２ダクト部と、を有し、前記ファンは、前記第２ダクト部を流通する空気を吸引する位置に配置され、前記第１ダクト部は、当該第１ダクト部を形成する複数の側壁部と、前記複数の側壁部のうち少なくともいずれかに形成され、当該第１ダクト部を流通する空気を当該第１ダクト部外に排出する開口部と、前記開口部を覆うメッシュと、を有することを特徴とする。
【０００８】
ここで、光源ランプが破裂していない状態では、ハウジングの排気口から排出された空気は、当該排気口に対向する導入口からダクト内に導入される。この空気は、上記ファンにより吸引されることで、分岐部から第２ダクト部を流通して、当該ファンによってダクト外に排出される。このように、ハウジングから排出される空気は、ファンにより吸引されてダクト内を流通し、ダクト外に排出される。
【０００９】
一方、光源ランプが破裂した場合には、光源ランプの破片（粉塵）を含む空気が排気口から排出され、上記導入口を介してダクト内に導入される。この空気の排気口からの排気圧は、光源ランプの破裂時に生じる爆圧によって高められていることから、当該空気は、排気口の開口面に直交する第１方向に直進して、分岐部を介して第１ダクト部に流入される。この第１ダクト部を構成する複数の側壁部の少なくともいずれかには開口部が形成されているので、第１ダクト部に流入された空気は、当該開口部を介して第１ダクト部外に排出される。この空気が、開口部を覆うメッシュを通過する際に、当該メッシュによって上記破片は捕獲されて、第１ダクト部内に留められ、当該破片の飛散が抑制される。
従って、光源装置に設けられた上記のようなメッシュの目を細かくすることなく、光源ランプの細かな破片が飛散することを抑制できるので、光源装置の冷却効率が低下することなく、光源ランプの破片の飛散を抑制できる。
【００１０】
なお、光源装置は、交換可能に構成されていることが一般的である。しかしながら、光源ランプの大きな破片だけでなく、細かな破片の飛散も抑制する構成を光源装置に設けると、光源装置が高価になりやすいだけでなく、上記のように光源ランプの冷却効率が低下するおそれがある。更に、このような構成を光源装置に設けると、当該光源装置が複雑化及び大型化する。
これに対し、上記破片の飛散を抑制する構成をダクトが有することで、当該破片を捕獲する構成を光源装置に設けずに済む。従って、冷却効率を低下させることなく光源装置を安価に構成できる他、当該光源装置の複雑化及び大型化を抑制できる。
【００１１】
上記一態様では、前記開口部は、前記第１ダクト部を流通する空気を前記ダクト外に排出するダクト側排気口であることが好ましい。
上記一態様によれば、第１ダクト部を流通した空気は、開口部を介してダクト外に排出される。これによれば、当該第１ダクト部内に留められた光源ランプの破片が、ファンによって吸引されて第１ダクト部外に飛散することを抑制できる。また、非常に細かな破片が、上記空気とともに開口部を通過してしまう場合でも、当該破片はダクト外に排出されるので、上記ファンにより吸引されてプロジェクター外に排出されることを抑制できる。この他、光源装置付近に当該破片が位置しづらいので、光源装置の交換時に、当該破片が飛散することを抑制できる。
【００１２】
なお、前記メッシュは、前記第１方向に略直交する位置に配置されてもよい。
このような構成によれば、光源ランプの破裂時に上記破片を運び、かつ、上記第１方向に沿って排気口から排出される空気が、確実に上記メッシュを通過するように構成でき、当該破片をメッシュにより捕獲しやすくすることができる。従って、当該光源ランプの破片がプロジェクター外に排出されることを一層抑制できる。
【００１３】
また、前記開口部は、前記複数の側壁部のうち、前記第１方向に略直交する側壁部の一端側にスリット状に形成され、前記メッシュは、前記開口部に対して前記第１方向とは反対側に位置していてもよい。
このような構成によれば、上記開口部がスリット状に形成されていることから、ハウジングの排気口から光源ランプの光が漏れる場合でも、当該開口部が側壁部の全面に形成されている場合に比べて、当該光がダクト外に漏れることを抑制できる。
また、メッシュは、開口部に対して上記第１方向とは反対側、すなわち、当該開口部を通過する空気の流れにおける上流側に位置する。これによれば、当該メッシュが下流側に位置する場合に比べて、捕獲された破片をダクト内に留めやすくすることができる。従って、当該破片がダクト外に排出されることを確実に抑制できる。
【００１４】
上記一態様では、前記第１ダクト部は、前記第１方向に延出した後、前記第２方向に沿って延出し、前記開口部は、前記複数の側壁部のうち、前記第２方向側に位置する側壁部に形成されて、前記第１ダクト部と前記第２ダクト部とを連通させることが好ましい。
ここで、光源ランプが破裂していない場合には、光源装置の排気口から排出された空気は、第２ダクト部を流通して、上記ファンにより吸引される。一方、光源ランプが破裂した場合には、光源装置から爆圧によって排出される空気は、第１ダクト部を流通し、メッシュにより上記破片が捕獲された後に、開口部により第１ダクト部と連通する第２ダクト部に流入される。
これによれば、上記導入口からダクト内に導入された空気は、光源ランプが破裂した場合、及び、破裂していない場合のそれぞれにおいて、第２ダクト部を流通するように構成できる。これによれば、光源ランプが破裂した場合、及び、破裂していない場合のいずれにおいても、導入口からダクト内に導入された空気を、ファンによりダクト外に排出できる。すなわち、導入された空気の排出流路をまとめることができる。従って、第１ダクト部を流通する空気（例えば、光源ランプの破裂時に爆圧により排出される空気）と、第２ダクト部を流通する空気（例えば、光源ランプを冷却した空気）とが、それぞれ異なる開口部からダクト外に排出される構成に比べて、ダクトの構成を簡略化できる。
【図面の簡単な説明】
【００１５】
【図１】本発明の第１実施形態に係るプロジェクターを示す斜視図。
【図２】上記第１実施形態における装置本体を示す平面図。
【図３】上記第１実施形態における画像形成装置の構成を示す模式図。
【図４】上記第１実施形態における光源装置を光出射側から見た斜視図。
【図５】上記第１実施形態における光源装置を示す側面図。
【図６】上記第１実施形態における画像形成装置、電源装置及びダクトの位置関係を示す図。
【図７】上記第１実施形態におけるダクトを示す斜視図。
【図８】上記第１実施形態におけるダクトを示す斜視図。
【図９】上記第１実施形態における光源装置から排出された空気の流路を示す図。
【図１０】上記第１実施形態におけるダクトの変形を示す図。
【図１１】本発明の第２実施形態に係るプロジェクターが備える光源装置、電源装置及びダクトを示す図。
【図１２】上記第２実施形態におけるダクトの変形を示す図。
【発明を実施するための形態】
【００１６】
［第１実施形態］
以下、本発明の第１実施形態について、図面に基づいて説明する。
［プロジェクターの概略構成］
図１は、本実施形態に係るプロジェクター１の外観を示す斜視図である。また、図２は、プロジェクター１の内部を示す図である。なお、図２においては、プロジェクター１が備える装置本体３の一部の図示を省略している。
本実施形態に係るプロジェクター１は、内部に収納された光源装置から出射された光を変調して画像情報に応じた画像を形成し、当該画像をスクリーン等の被投射面に拡大投射する。このプロジェクター１は、図１及び図２に示すように、外装を構成する外装筐体２（図１及び図２）と、当該外装筐体２内に収納される装置本体３（図２）と、を備える。
【００１７】
［外装筐体の構成］
外装筐体２は、図１に示すように、全体略直方体形状を有し、本実施形態では合成樹脂により形成されている。この外装筐体２は、アッパーケース２１、ロアーケース２２、フロントケース２３及びリアケース２４を有し、これらが組み合わされて構成されている。
アッパーケース２１は、外装筐体２の天面部２Ａと、左側面部２Ｅ及び右側面部２Ｆのそれぞれの一部とを構成する。ロアーケース２２は、外装筐体２の底面部２Ｂと、左側面部２Ｅ及び右側面部２Ｆのそれぞれの一部とを構成する。フロントケース２３及びリアケース２４は、それぞれ、外装筐体２の正面部２Ｃ及び背面部２Ｄを構成する。
【００１８】
天面部２Ａには、内部に収納された光源装置４１（図２）の配置位置を覆うランプカバー２Ａ１が着脱自在に取り付けられている。このランプカバー２Ａ１を取り外すことで、当該光源装置４１が露出され、これにより、当該光源装置４１を交換することが可能となる。
正面部２Ｃには、後述する投射光学装置４６から投射された画像が通過する略半円状の開口部２Ｃ１が形成されている。
右側面部２Ｆには、後述する冷却装置６（図２）によって外部の空気が吸引されて外装筐体２内に導入される吸気口２Ｆ１が形成されている。
左側面部２Ｅには、図２に示すように、外装筐体２内を流通して冷却対象の冷却に供された空気が排出される排気口２Ｅ１が形成されている。この排気口２Ｅ１には、後述するダクト７が接続される。
【００１９】
［装置本体の構成］
装置本体３は、プロジェクター１の内部構成に相当し、図２に示すように、画像形成装置４、電源装置５及び冷却装置６を備える。なお、図示を省略するが、装置本体３は、これらの他に、プロジェクター１全体の動作を制御する制御装置等を備える。
【００２０】
［画像形成装置の構成］
図３は、画像形成装置４の構成を示す模式図である。
画像形成装置４は、上記制御装置による制御の下、画像情報に応じた画像を形成及び投射する。この画像形成装置４は、図３に示すように、光源装置４１、照明光学装置４２、色分離装置４３、リレー装置４４、電気光学装置４５及び投射光学装置４６と、これらを支持する光学部品用筐体４７と、を備える。
【００２１】
光源装置４１は、照明光学装置４２に光束を出射する。この光源装置４１は、光源ランプ４１１、リフレクター４１２及び平行化レンズ４１３と、これらを内部に収納するハウジング４１４と、を有する。このハウジング４１４については、後に詳述する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２２、第２レンズアレイ４２３、偏光変換素子４２４及び重畳レンズ４２５を有する。
【００２２】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２３】
電気光学装置４５は、分離された各色光を画像情報に応じてそれぞれ変調した後、当該各色光を合成する。この電気光学装置４５は、色光ごとにそれぞれ設けられるフィールドレンズ４５１、入射側偏光板４５２、光変調装置としての液晶パネル４５３（赤、緑及び青用の液晶パネルをそれぞれ４５３Ｒ，４５３Ｇ，４５３Ｂとする）及び出射側偏光板４５４と、変調された各色光を合成して投射画像を形成する色合成光学装置としてのクロスダイクロイックプリズム４５５と、を有する。
投射光学装置４６は、形成された投射画像を上記被投射面上に拡大投射する。この投射光学装置４６は、複数のレンズ（図示省略）と、当該複数のレンズを内部に収納する鏡筒４６１とを備えた組レンズとして構成されている。
【００２４】
光学部品用筐体４７は、詳しい図示を省略するが、各種光学部品を収納する部品収納部材と、当該部品収納部材に形成された部品収納用の開口部を閉塞する蓋状部材と、投射光学装置４６を支持する支持部材と、を備える。この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２５】
［電源装置の構成］
図２に戻り、電源装置５は、外装筐体２内の略中央に配置されている。具体的に、電源装置５は、背面部２Ｄに沿うとともに右側面部２Ｆに沿う略Ｌ字状に構成された画像形成装置４の両端部（光源装置４１における光出射側とは反対側の端部、及び、投射光学装置４６における投射方向側の端部）の間に配置される。この電源装置５は、詳しい図示を省略するが、交直変換回路、電圧変換回路及び点灯制御回路を有する。
交直変換回路は、背面部２Ｄに配設されたインレットコネクターに入力される商用交流電流を直流電流に変換する。電圧変換回路は、変換された直流電流を、供給される電子部品に応じて昇圧及び降圧する。点灯制御回路は、変換された直流電流から交流矩形波電流を生成し、当該電流を上記光源装置４１に供給して、当該光源装置４１を点灯させる。これらのうち、点灯制御回路は、上記制御装置により制御される。
【００２６】
［冷却装置の構成］
冷却装置６は、装置本体３を構成する冷却対象に、外装筐体２外から導入された冷却空気を流通させて、当該冷却対象を冷却する。この冷却装置６は、ファン６１〜６４及びダクト６５，７を備える。
ファン６１，６２は、遠心力ファン（シロッコファン）で構成され、投射光学装置４６と右側面部２Ｆとの間に、吸気面を上記吸気口２Ｆ１に向けて配置されている。これらファン６１，６２は、当該吸気口２Ｆ１を介して外装筐体２外の空気を吸引して外装筐体２内に導入する。そして、ファン６１，６２は、吸引した空気を、ダクト６５を介して上記各液晶パネル４５３及び出射側偏光板４５４近傍に送出し、これらを冷却する。
ファン６３は、遠心力ファンで構成され、光源装置４１近傍に配置されている。このファン６３は、外装筐体２内の空気を吸引して光源装置４１に送出し、これにより、上記光源ランプ４１１を冷却する。
【００２７】
ダクト７は、平面視略Ｌ字状に形成され、外装筐体２内における左側面部２Ｅ側の位置に配置される。具体的に、ダクト７は、一端側の部位が、光源装置４１及び電源装置５の間に配置され、他端側の部位が、左側面部２Ｅと電源装置５との間に配置される。このダクト７は、光源装置４１、照明光学装置４２及び電源装置５を冷却した空気や、外装筐体２内を流通した空気を内部に導入する。このダクト７については、後に詳述する。
ファン６４は、軸流ファンにより構成されている。このファン６４は、ダクト７内に配置され、ダクト７内を流通した空気を、排気口２Ｅ１を介して外装筐体２外に排出する。
【００２８】
［ハウジングの構成］
図４は、光源装置４１を光出射側から見た斜視図であり、図５は、光源装置４１を左側面部４１４Ｅ側から見た側面図である。
ここで、光源装置４１を構成するハウジング４１４について説明する。
ハウジング４１４は、図４及び図５に示すように、本体部４１５（図４及び図５）と、ダクト部材４１６（図４）と、を備える。そして、これらが組み合わされて、ハウジング４１４の天面部４１４Ａ、底面部４１４Ｂ、正面部４１４Ｃ、背面部４１４Ｄ、左側面部４１４Ｅ及び右側面部４１４Ｆが形成される。
【００２９】
本体部４１５は、ガラスフィラーが含まれる合成樹脂により形成され、上記光源ランプ４１１、リフレクター４１２及び平行化レンズ４１３を内部に収納する。この本体部４１５における右側面部には、図示を省略するが、天面部４１４Ａ側及び底面部４１４Ｂ側の位置に、当該本体部４１５内に空気を導入する導入口がそれぞれ形成されている。そして、当該右側面部には、これら導入口を覆うように、ダクト部材４１６が取り付けられる。
【００３０】
左側面部４１４Ｅを構成する本体部４１５の左側面部には、排気口４１５１，４１５２が形成されている。
排気口４１５１は、本体部４１５内に導入されて光源ランプ４１１を冷却した空気をハウジング４１４外に排出する。この排気口４１５１は、略矩形状に形成されており、当該排気口４１５１の内側には、光源ランプ４１１が破裂した場合に、比較的大きな破片が外部に飛散することを抑制するメッシュ４１５３が配置されている。
排気口４１５２は、リフレクター４１２の背面（光出射側とは反対側の面）側を流通して当該リフレクター４１２を冷却した空気を、ハウジング４１４外に排出する。
【００３１】
ダクト部材４１６は、正面部４１４Ｃ側に開口する導入口４１６１を有し、当該導入口４１６１は、上記ファン６３の吐出口と接続される。この導入口４１６１内には、光源ランプ４１１が破裂した場合に破片の飛散を抑制するメッシュ４１６２が配置されている。
また、図示を省略するが、ダクト部材４１６内には、自重によって鉛直方向に移動して、導入口４１６１を介してダクト部材４１６内に導入された空気を、鉛直方向上方に向けて流通させる流路切替部材が設けられている。
【００３２】
このようなハウジング４１４では、光源装置４１の姿勢に応じて上記流路切替部材が移動することで、ダクト部材４１６内に導入された空気の流通方向は、鉛直方向上方に変更される。この空気は、本体部４１５の右側面部に形成された上記導入口のうち、鉛直方向上方に位置する導入口を介して本体部４１５内に導入され、光源ランプ４１１に対して上方から吹き付けられる。これにより、光源ランプ４１１が効果的に冷却される。
この後、光源ランプ４１１の冷却に供された空気（以下、光源冷却空気という）は、上記排気口４１５１を介してハウジング４１４外に排出され、当該排気口４１５１に対向するダクト７内に流入される。
【００３３】
［ダクトの構成］
図６は、画像形成装置４及び電源装置５と、ダクト７との位置関係を示す図である。
なお、以降の説明において、Ｚ方向は、光源装置４１からの光の出射方向を示し、Ｘ方向及びＹ方向は、当該Ｚ方向に直交し、かつ、互いに直交する方向を示す。本実施形態では、上記底面部２Ｂが載置面に対向し、かつ、Ｚ方向が水平方向に沿う姿勢でプロジェクター１が当該載置面上に載置された場合（正置き姿勢で設置された場合）に、Ｙ方向は、底面部２Ｂから天面部２Ａに向かう方向（下方から上方に向かう方向）を指し、Ｘ方向は、背面部２Ｄから正面部２Ｃに向かう方向（Ｚ方向から見て右から左）を指す。
ダクト７は、画像形成装置４及び電源装置５等を冷却した空気を内部に導入し、内部に設けられたファン６４により、排気口２Ｅ１を介して外装筐体２外に当該空気を排出させる。このダクト７は、図６に示すように、光源装置４１、照明光学装置４２及び電源装置５と対向する略Ｌ字状の導入部７１と、当該導入部７１に接続された配置部７３と、を有する。
【００３４】
図７は、ダクト７をＺ方向とは反対側から見た斜視図であり、図８は、ダクト７をＺ方向側から見た斜視図である。
このようなダクト７は、図７及び図８に示すように、Ｙ方向とは反対側に位置するダクト本体７Ｓと、当該ダクト本体７Ｓに対してＹ方向側に位置する蓋状部材７Ｔと、を備える。そして、これらが組み合わされてダクト７が構成され、内部に空気が流通する導入部７１及び配置部７３が構成される。
【００３５】
［導入部の構成］
導入部７１は、図６に示すように、画像形成装置４及び電源装置５のそれぞれに対向し、これらを冷却した空気を内部に導入する。この導入部７１は、導入口７１１〜７１５、分岐部７１６、及び、ダクト部７１７〜７２０を有する。
【００３６】
導入口７１１は、導入部７１において光源装置４１の左側面部４１４Ｅに対向する面に、上記排気口４１５１と対向するように形成されている。この導入口７１１の略矩形状の開口面（開口を形成する端縁を結ぶ仮想面）の面積は、排気口４１５１の開口面４１５１Ａより大きくなっており、当該排気口４１５１から排出された空気のほぼ全てが、導入口７１１を介して導入部７１内に流入されるように構成されている。
分岐部７１６は、導入口７１１の内側に位置し、後述するダクト部７１７，７１８と連通している。この分岐部７１６に導入口７１１を介して導入された空気のうち、排気口４１５１からの排気圧が高い空気は、当該分岐部７１６を介してダクト部７１７内に流入される。また、当該排気圧が低い空気は、後述する配置部７３に配置されたファン６４の吸引力により、分岐部７１６を介してダクト部７１８内に流入される。
【００３７】
ダクト部７１７は、本発明の第１ダクト部に相当する。このダクト部７１７は、図６に示すように、排気口４１５１の開口面４１５１Ａに直交し、かつ、当該排気口４１５１から導入口７１１に向かう方向である第１方向Ａ１（本実施形態ではＸ方向と平行な方向）に沿って、分岐部７１６から延びるダクト部である。このダクト部７１７は、ダクト本体７Ｓ及び蓋状部材７Ｔにより形成される側壁部７１７１〜７１７４（Ｙ方向側の側壁部については、図示参照）により形成されている。
これら側壁部のうち、第１方向Ａ１側に位置する側壁部７１７３には、Ｙ方向に細長いスリット状の開口部７１７６が、当該側壁部７１７３におけるＺ方向側の端部に形成されている。
【００３８】
また、ダクト部７１７内において、開口部７１７６に対して第１方向Ａ１とは反対側には、金属製のメッシュ７１７７が上記第１方向Ａ１に直交するように固定されている。このメッシュ７１７７は、板状に形成され、ダクト部７１７内を第１方向Ａ１に沿って流通する空気に含まれる粉塵（例えば、光源ランプ４１１の破片）を捕獲する機能を有する。このようなメッシュ７１７７により捕獲された粉塵は、質量を有することから、鉛直方向（すなわち、Ｙ方向とは反対方向）に落下して、ダクト部７１７内に留まる。
【００３９】
なお、ダクト部７１７を形成する側壁部のうち、Ｚ方向側に位置し、かつ、ＸＹ平面に沿う側壁部７１７１は、導入口７１１の端縁を形成している。この側壁部７１７１は、光源ランプ４１１が破裂した際の爆圧により、ハウジング４１４内の光源冷却空気が、上記第１方向Ａ１に対して傾斜する方向（Ｘ方向と同方向である第１方向Ａ１に沿って流通するに従ってＺ方向側に傾く方向）に流通する場合でも、当該光源冷却空気が、ダクト部７１７内に導かれるように形成されている。
【００４０】
ダクト部７１８は、本発明の第２ダクト部に相当し、上記ダクト部７１７とともに分岐部７１６と連通されている。このダクト部７１８は、上記第１方向Ａ１に交差する方向である第２方向Ａ２（本実施形態では、第１方向Ａ１に直交する方向であり、Ｚ方向とは反対方向）に沿って分岐部７１６から延びるダクト部である。このようなダクト部７１８は、内部を流通する空気を、後述する配置部７３に配置されたファン６４に導く機能を有する。すなわち、ファン６４が駆動されると、導入口７１１から分岐部７１６に導入された空気は、当該ファン６４の吸引力によってダクト部７１８内に流入され、当該ダクト部７１８を流通して、ファン６４に導かれる。
【００４１】
導入口７１２は、図６及び図７に示すように、画像形成装置４に対向する導入部７１の面において、Ｚ方向とは反対側の端部近傍に形成されている。すなわち、導入口７１２は、導入口７１１よりＺ方向とは反対側に位置する。この導入口７１２は、上記排気口４１５２（図４及び図５参照）から排出される空気、すなわち、リフレクター４１２の背面側を冷却した空気を導入部７１内に導入する。
ダクト部７１９は、上記ダクト部７１８と連通しており、導入口７１２を介して導入された空気を、当該ダクト部７１８に導く。
【００４２】
導入口７１３は、画像形成装置４に対向する導入部７１の面において、Ｚ方向側の端部近傍に略矩形に形成されている。すなわち、導入口７１３は、導入口７１１よりＺ方向側に位置する。この導入口７１３は、照明光学装置４２（例えば、調光装置４２２及び偏光変換素子４２４）を冷却した空気を導入部７１内に導入する。
ダクト部７２０は、図７及び図８に示すように、上記ダクト部７１７をＹ方向側及びＹ方向とは反対側から挟む一対の連通部７２０１，７２０２（Ｙ方向側の連通部を７２０１とし、Ｙ方向とは反対側の連通部を７２０２とする）を有する。これら連通部７２０１，７２０２は、導入口７１３から導入された空気を、上記ダクト部７１８に導く。
【００４３】
導入口７１４，７１５は、略Ｌ字状に形成された導入部７１において、Ｘ方向に沿い、かつ、電源装置５と対向する部位に形成されている。
導入口７１４は、図８に示すように、Ｙ方向側にスリット状に複数形成され、導入口７１５は、Ｚ方向側の端面に略Ｌ字状に形成されている。これら導入口７１４，７１５を介して、外装筐体２内の空気（例えば、電源装置５を冷却した空気）が導入部７１内に導入される。
【００４４】
［配置部の構成］
配置部７３は、上記導入部７１と接続されている。具体的に、配置部７３は、導入部７１におけるＸ方向に沿う部位からＺ方向とは反対側に突出するように形成されている。この配置部７３内には、上記ファン６４が配置される。すなわち、ファン６４は、ダクト７内において、導入口７１１から導入された空気を分岐部７１６からダクト部７１８に流入させ、当該ダクト部７１８を流通した空気を吸引可能に配置されている。
この配置部７３は、Ｚ方向とは反対方向（すなわち、ファン６４による空気の排出方向）に更に突出する接続部７３１を有する。この接続部７３１は、図７に示すように、略円筒状に形成されており、上記排気口２Ｅ１と左側面部２Ｅの内側にて接続される。
このような配置部７３内に配置されたファン６４により、上記ダクト部７１８内を流通した空気、及び、導入口７１４，７１５を介して内部に導入された空気は、当該ファン６４により吸引され、接続部７３１を介して排気口２Ｅ１から外装筐体２外に排出される。
【００４５】
［光源ランプが破裂していない場合に光源装置から導入される空気の流路］
図９は、光源装置４１からダクト７内に導入された空気の流路を示す図である。なお、図９においては、光源ランプ４１１が破裂していない状態での当該空気の流路を実線の矢印Ｍで示し、光源ランプ４１１が破裂した場合の当該空気の流路を一点鎖線の矢印Ｌで示している。
ハウジング４１４内の光源冷却空気は、上記排気口４１５１に対向する導入口７１１を介して、導入部７１（ダクト７）内に導入される。
【００４６】
ここで、光源ランプ４１１が破裂していない状態では、光源冷却空気は、ハウジング４１４内の対流によって上記排気口４１５１から排出されることから、排気口４１５１からの光源冷却空気の排気圧はそれほど高くない。このため、図９の実線の矢印Ｍによって示すように、当該排気口４１５１及び導入口７１１から導入部７１内に導入された光源冷却空気は、ファン６４の吸引力によって、分岐部７１６から上記第２方向Ａ２（Ｚ方向とは反対方向）に沿って流通し、これにより、ダクト部７１８内に流入される。
この光源冷却空気は、ダクト部７１８を流通してファン６４により吸引された後、接続部７３１と接続される排気口２Ｅ１を介して外装筐体２外に排出される。
【００４７】
［光源ランプが破裂した場合に光源装置から導入される空気の流路］
一方、光源ランプ４１１が破裂した場合には、上記のように、ハウジング４１４内で破裂による爆圧が発生することから、排気口４１５１からの光源冷却空気の排気圧は、当該光源ランプ４１１が破裂していない状態での排気圧より高い。具体的には、当該光源冷却空気が分岐部７１６に到達した時点での排気圧は、当該分岐部７１６におけるファン６４による吸引圧より高い。このため、光源ランプ４１１の破裂時に排気口４１５１から排出される空気は、図９の一点鎖線の矢印Ｌによって示すように、導入口７１１を介して導入部７１内に導入された後、分岐部７１６から上記第１方向Ａ１に沿って流通して、ダクト部７１７内に流入される。
この光源冷却空気は、ダクト部７１７内を上記第１方向Ａ１に沿って流通してメッシュ７１７７を通過し、開口部７１７６を介して、ダクト７外に排出される。
【００４８】
ここで、光源ランプ４１１の破裂時に排気口４１５１から排出される光源冷却空気には、当該光源ランプ４１１の破片である粉塵も含まれる。この粉塵は、当該光源冷却空気がメッシュ７１７７を通過する過程で、当該メッシュ７１７７により捕獲される。このような粉塵は、質量を有することから、上記爆圧が収まった後には鉛直方向に落下して、ダクト部７１７内に留まる。
一方、当該爆圧が収まった後には、上記のように、導入口７１１を介して導入部７１内に導入された空気は、ファン６４の吸引力により、分岐部７１６からダクト部７１８内に流入される。このように、上記爆圧が発生していない場合には、ダクト部７１７に空気は流通しづらい。このため、上記メッシュ７１７７により捕獲された粉塵は、ダクト部７１７内に留まりやすく、ダクト７外に排出されにくい。
【００４９】
なお、図９では流路の図示を省略したが、光源ランプ４１１が破裂していない場合でも、破裂した場合でも、上記ファン６４の駆動により、リフレクター４１２の背面側を冷却した空気は、導入口７１２及びダクト部７１９を介してダクト部７１８内に流入され、上記照明光学装置４２を冷却した空気は、導入口７１３及びダクト部７２０を介してダクト部７１８内に流入される。このダクト部７１８内を流通する空気は、電源装置５を冷却して導入口７１４，７１５（図８参照）を介して導入部７１内に導入された空気とともに、ファン６４によって吸引され、排気口２Ｅ１から外装筐体２外に排出される。
【００５０】
［第１実施形態の効果］
以上説明した本実施形態に係るプロジェクター１によれば、以下の効果がある。
上記のように、光源ランプ４１１が破裂していない状態では、排気口４１５１から対流により排出された空気は、当該排気口４１５１に対向する導入口７１１からダクト７内に導入される。この空気は、ファン６４の吸引力により、分岐部７１６からダクト部７１８内を流通し、当該ファン６４によって、ダクト７外、ひいては、外装筐体２外に排出される。
【００５１】
一方、光源ランプ４１１が破裂した場合には、当該光源ランプ４１１の破片（粉塵）を含む光源冷却空気が排気口４１５１から排出され、上記導入口７１１を介してダクト７内に導入される。この空気の排気口４１５１からの排気圧は、光源ランプ４１１の破裂時に生じる爆圧によって高められていることから、当該空気は、上記第１方向Ａ１に直進して、分岐部７１６を介してダクト部７１７に流入される。ここで、ダクト部７１７を形成する側壁部７１７３には開口部７１７６が形成されているので、当該ダクト部７１７に流入された空気は、当該開口部７１７６を介してダクト部７１７、ひいては、ダクト７外に排出される。この空気がメッシュ７１７７を通過する際に、当該空気に含まれる破片は、当該メッシュ７１７７によって捕獲され、当該破片の飛散が抑制される。
従って、排気口４１５１内に設けられたメッシュ４１５３の目を細かくすることなく、光源ランプ４１１の細かな破片の飛散を抑制できるので、光源装置の冷却効率が低下することなく、光源ランプ４１１の破片の飛散を抑制できる。
【００５２】
なお、プロジェクター１では、光源装置４１は、光源ランプ４１１の破裂や寿命等の理由により交換可能に構成されている。ここで、光源ランプ４１１の大きな破片は、上記メッシュ４１５３により捕獲できるが、細かな破片までも捕獲可能な構成を光源装置４１に設けると、光源装置４１が高価になりやすいだけでなく、上記のように光源ランプ４１１の冷却効率が低下するおそれがある。更に、このような構成を光源装置４１に設けると、当該光源装置４１が複雑化及び大型化する。
これに対し、光源ランプ４１１の破片の飛散を抑制する構成をダクト７が有することで、光源装置４１の構成が複雑化及び大型化することを抑制できる他、冷却効率を低下させることなく光源装置４１を安価に構成できる。
【００５３】
ダクト部７１７を流通した空気は、開口部７１７６を介してダクト７外に排出される。これによれば、当該空気がダクト部７１７内に停滞せずに、開口部７１７６から排出されるので、光源装置４１から運ばれてダクト部７１７内に留められた光源ランプ４１１の破片が、ファン６４により吸引されて、外装筐体２外に排出されることを抑制できる。また、非常に細かな破片が、上記空気とともにメッシュ７１７７及び開口部７１７６を通過してしまう場合でも、当該破片はダクト７外の位置で、かつ、外装筐体２内の位置に排出される。従って、この場合でも、光源ランプ４１１の破片が外装筐体２外に排出されてしまうことを抑制できる。
【００５４】
ダクト部７１７内のメッシュ７１７７は、第１方向Ａ１に略直交する位置に配置されている。これによれば、光源ランプ４１１の破裂時に、破片を含み、かつ、第１方向Ａ１に沿って排気口４１５１から排出される空気が上記メッシュ７１７７を確実に通過するように構成できる。従って、当該破片をメッシュ７１７７により捕獲しやすくすることができるので、当該破片が外装筐体２外に排出されることを一層抑制できる。
【００５５】
開口部７１７６は、第１方向Ａ１に略直交する側壁部７１７３におけるＺ方向側の端部にスリット状に形成されている。これによれば、光源装置４１において排気口４１５１から光源ランプ４１１の光が漏れる場合でも、開口部７１７６が側壁部７１７３の略全面に形成されている場合に比べて、当該光がダクト７外に漏れることを抑制できる。
また、メッシュ７１７７は、開口部７１７６に対して第１方向Ａ１とは反対側、すなわち、当該開口部７１７６を通過する空気の流路における上流側に位置する。これによれば、当該メッシュ７１７７が下流側に位置する場合に比べて、捕獲された破片をダクト７内に留めやすくすることができる。従って、当該破片がダクト７外に排出されることを確実に抑制できる。
【００５６】
［第１実施形態の変形］
上記プロジェクター１では、ファン６４は、外装筐体２の左側面部２Ｅに形成された排気口２Ｅ１を介して、ダクト７内に導入された空気を排出する構成であった。すなわち、上記プロジェクター１では、ファン６４は、空気の吸引方向及び排出方向がＺ方向とは反対方向に沿うように、ダクト７内に配置されていた。しかしながら、このようなダクト７に代えて、空気の吸引方向及び排出方向がＸ方向に沿うようにファン６４が配置されるダクトを採用してもよい。
【００５７】
図１０は、上記ダクト７の変形であるダクト７Ａを示す図である。
ダクト７の変形であるダクト７Ａは、図１０に示すように、配置部７３に代えて配置部７３Ａを有する他は、ダクト７と同様の構成及び機能を有する。
配置部７３Ａは、導入部７１におけるＸ方向側の端部に位置している。この配置部７３Ａ内には、空気の吸引方向及び排出方向がＸ方向に沿うように、軸流ファンにより構成されたファン６４が配置される。
このような配置部７３Ａが有する接続部７３１Ａは、配置部７３Ａ内に配置されたファン６４の排出側、すなわち、ファン６４に対するＸ方向側に突出するように形成されており、当該接続部７３１Ａは、正面部２Ｃの内面に接続される。
【００５８】
このようなダクト７Ａが採用される場合には、左側面部２Ｅには排気口２Ｅ１が形成されておらず、正面部２Ｃに排気口（図示省略）が形成された外装筐体２が採用される。そして、接続部７３１Ａは、正面部２Ｃの内側にて当該排気口と接続され、ファン６４による排出空気は、正面部２Ｃ側から外装筐体２外に排出される。
このようなダクト７Ａを備えるプロジェクター１によっても、上記ダクト７を備えるプロジェクター１と同様の効果を奏することができる。
【００５９】
［第２実施形態］
次に、本発明の第２実施形態について説明する。
本実施形態に係るプロジェクターは、上記プロジェクター１と同様の構成を備えるが、光源ランプ４１１が破裂した場合に、破片を含む空気が流通するダクト部の構成が異なる点で、当該プロジェクター１と相違する。なお、以下の説明では、既に説明した部分と同一又は略同一である部分については、同一の符号を付して説明を省略する。
【００６０】
図１１は、本実施形態に係るプロジェクター１Ｂが備える画像形成装置４の一部、電源装置５及びダクト７ＢのＸＺ平面における断面図である。詳述すると、図１１は、光源装置４１からダクト７Ｂ内を流通する空気の流路を示す図である。
本実施形態に係るプロジェクター１Ｂは、ダクト７に代えてダクト７Ｂを備える他は、上記プロジェクター１と同様の構成及び機能を有し、ダクト７Ｂは、図１１に示すように、導入部７１Ｂ及び配置部７３を有する。
【００６１】
導入部７１Ｂは、導入部７１と同様に、Ｙ方向側から見て、Ｚ方向に沿う部位と、Ｘ方向に沿う部位とを有する略Ｌ字状に構成されている。この導入部７１Ｂは、ダクト部７１７とは形状及び構成が異なるダクト部７１７Ｂを有する他は、上記導入部７１と同様の構成及び機能を有する。すなわち、導入部７１Ｂは、導入口７１１〜７１５、分岐部７１６、ダクト部７１７Ｂ，７１８〜７２０を有する。
【００６２】
ダクト部７１７Ｂは、上記ダクト部７１７と同様に、分岐部７１６から上記第１方向Ａ１に沿って延びるダクト部である。このダクト部７１７Ｂには、光源ランプ４１１の破裂時に排気口４１５１から第１方向Ａ１に排出され、導入口７１１を介して導入部７１Ｂ内に導入された空気が流通する。
このようなダクト部７１７Ｂは、上記ダクト部７１７と同様に、Ｚ方向側に位置する側壁部７１７１、Ｚ方向とは反対側に位置する側壁部７１７２、Ｘ方向側に位置する側壁部７１７３、Ｙ方向とは反対側に位置する側壁部７１７４、及び、Ｙ方向側に位置する側壁部（図示省略）により囲まれている。
【００６３】
ここで、ダクト部７１７Ｂでは、側壁部７１７３に開口部７１７６は形成されておらず、上記第２方向Ａ２に位置する側壁部７１７２に開口部７１７６が形成されている。そして、当該開口部７１７６は、ダクト部７１７Ｂとダクト部７１８とを連通させる。なお、本実施形態では、開口部７１７６は、比較的大きな開口面を有する矩形状に形成されているが、スリット状に形成されていてもよい。
また、当該開口部７１７６内には、上記メッシュ７１７７が設けられている。なお、メッシュ７１７７は、当該開口部７１７６をＺ方向側、或いは、Ｚ方向とは反対側にて覆うように設けられてもよい。
【００６４】
［光源装置から導入される空気の流路］
上記光源ランプ４１１が破裂していない状態では、上記ダクト７，７Ａと同様に、上記排気口４１５１から対流により排出された光源冷却空気は、図１１に実線の矢印Ｍによって示すように、導入口７１１から導入部７１Ｂ内に導入される。そして、当該光源冷却空気は、ファン６４の吸引力により、分岐部７１６から上記第２方向Ａ２に沿ってダクト部７１８内に流入される。この光源冷却空気は、当該ダクト部７１８を流通してファン６４により吸引され、接続部７３１及び排気口２Ｅ１を介して、外装筐体２外に排出される。
【００６５】
一方、光源ランプ４１１が破裂した場合には、上記のように、ハウジング４１４内で爆圧が発生することから、排気口４１５１から排出される光源冷却空気（光源ランプ４１１の破片等を含む）の排気圧は、当該光源ランプ４１１が破裂していない状態での排気圧より高い。このため、当該空気は、図１１に一点鎖線の矢印Ｎによって示すように、上記第１方向Ａ１に沿って流通して導入口７１１から導入部７１Ｂ内に導入され、この後、分岐部７１６からダクト部７１７Ｂ内に流入される。
【００６６】
ダクト部７１７Ｂ内に流入された光源冷却空気は、当該ダクト部７１７Ｂを形成する側壁部７１７３に衝突して圧力が弱まり、当該空気の流通方向は、開口部７１７６を介して作用されるファン６４の吸引力によって、上記第２方向Ａ２に沿う方向に変更される。この光源冷却空気に含まれる上記破片は、開口部７１７６を通過する過程で、メッシュ７１７７により捕獲された後、鉛直方向に落下して、ダクト部７１７Ｂ内に留まる。また、開口部７１７６を通過した空気は、ダクト部７１８内に流入して、上記と同様に、ファン６４により吸引される。これにより、当該破片がダクト７Ｂ外に排出されることが抑制される。
【００６７】
なお、図１１では流路の図示を省略したが、光源ランプ４１１の破裂の有無に関わらず、ファン６４の駆動により、リフレクター４１２の背面側を冷却した空気は、導入口７１２及びダクト部７１９を介してダクト部７１８内に流入され、また、上記調光装置４２２及び偏光変換素子４２４を冷却した空気は、導入口７１３及びダクト部７２０を介してダクト部７１８内に流入される。更に、電源装置５を冷却した空気は、導入口７１４（図１１では図示省略），７１５を介して、導入部７１Ｂ内に流入され、ダクト部７１８内を流通する空気と合流される。そして、これら空気は、上記と同様に、ファン６４によって、排気口２Ｅ１から外装筐体２外に排出される。
【００６８】
［第２実施形態の効果］
以上説明した本実施形態に係るプロジェクター１Ｂによれば、上記プロジェクター１と同様の効果を奏する他、以下の効果を奏することができる。
光源ランプ４１１が破裂していない場合には、上記排気口４１５１から排出された空気は、ダクト部７１８内を流通して、ファン６４により吸引される。
一方、光源ランプ４１１が破裂した場合には、排気口４１５１から爆圧によって排出された光源冷却空気は、当該空気に含まれる破片がメッシュ７１７７によって捕獲された後に、開口部７１７６を介してダクト部７１７と連通するダクト部７１８に流入される。
これによれば、光源ランプ４１１が破裂した場合、及び、破裂していない場合のそれぞれにおいて、上記導入口７１１からダクト７Ｂ内に導入された空気が、最終的にダクト部７１８を流通するように構成でき、当該空気を、ファン６４によりダクト７Ｂ外に排出できる。すなわち、当該空気の排出方向をまとめることができる。従って、ダクト部７１７を流通する空気と、ダクト部７１８を流通する空気とが、それぞれ異なる開口部からダクト外に排出される構成に比べて、ダクト７Ｂの構成を簡略化できる。
【００６９】
［第２実施形態の変形］
上記ダクト７Ｂでは、配置部７３内に配置されたファン６４は、空気の吸引方向及び排出方向がＺ方向とは反対方向に沿うように配置されていた。これに対し、ダクト７Ｂに代えて、上記ダクト７Ａと同様に、空気の吸引方向及び排出方向がＸ方向に沿うようにファン６４が配置されるダクトを採用してもよい。
【００７０】
図１２は、ダクト７Ｂの変形であるダクト７Ｃ、画像形成装置４の一部及び電源装置５のＸＺ平面における断面図である。
ダクト７Ｂの変形であるダクト７Ｃは、図１２に示すように、配置部７３に代えて配置部７３Ａを有する他は、ダクト７Ｂと同様の構成及び機能を有する。
配置部７３Ａは、ダクト７Ａにおける配置部７３Ａと同様に、導入部７１ＢにおけるＸ方向側の端部に位置しており、当該配置部７３Ａ内には、空気の吸引方向及び排出方向がＸ方向に沿うように、軸流ファンにより構成されたファン６４が配置される。
このような配置部７３Ａは、上記と同様に、当該配置部７３Ａ内に配置されたファン６４の排出側、すなわち、ファン６４に対するＸ方向側に突出する接続部７３１Ａを有し、当該接続部７３１Ａは、正面部２Ｃの内面に接続される。
【００７１】
このようなダクト７Ｃが採用される場合には、上記と同様に、排気口（図示省略）が正面部２Ｃに形成された外装筐体２が採用され、配置部７３Ａ内に配置されたファン６４による排出空気は、正面部２Ｃ側から外装筐体２外に排出される。
このようなダクト７Ｃを備えるプロジェクター１Ｂによっても、上記ダクト７Ｂを備えるプロジェクター１Ｂと同様の効果を奏することができる。
【００７２】
［各実施形態の変形］
本発明は、上記各実施形態に限定されるものではなく、本発明の目的を達成できる範囲での変形、改良等は本発明に含まれるものである。
上記各実施形態では、ダクト７，７Ａ〜７Ｃは、Ｙ方向側から見て略Ｌ字状に形成されていた。しかしながら、本発明はこれに限らない。例えば、ダクトの形状は、ダクト部７１７，７１７Ｂが更に第１方向Ａ１に延出した略Ｕ字状であってもよい。すなわち、ダクトの形状は、適宜変更可能である。
【００７３】
上記各実施形態では、ダクト７，７Ａ〜７Ｃは、排気口４１５１の端縁を結ぶ平面である開口面４１５１Ａに直交する第１方向Ａ１に沿ってダクト部７１７，７１７Ｂの少なくとも一部が分岐部７１６から延出し、当該分岐部７１６から第１方向Ａ１に直交する第２方向Ａ２に沿ってダクト部７１８の少なくとも一部が延出する構成であった。これらのうち、第１方向Ａ１は、プロジェクター１，１ＢにおいてはＸ方向に沿う方向であり、第２方向Ａ２は、Ｚ方向とは反対方向に沿う方向であった。しかしながら、本発明はこれに限らない。例えば、排気口４１５１がＺ方向に開口する位置に形成されている場合には、第１方向Ａ１は、Ｚ方向に沿う方向であってもよく、第２方向Ａ２は、当該Ｚ方向に直交する方向であってもよい。すなわち、光源装置４１における排気口４１５１の位置は、適宜変更可能であり、プロジェクターにおいて、上記開口面４１５１Ａに直交する第１方向Ａ１、及び、当該第１方向Ａ１に直交する第２方向Ａ２のそれぞれの向きは、光源装置４１の構成及び排気口４１５１の位置等を考慮して、適宜変更可能である。
【００７４】
上記第１実施形態では、ダクト部７１７が有する開口部７１７６は、当該ダクト部７１７において第１方向Ａ１側に位置する側壁部７１７３に形成されていた。また、上記第２実施形態では、当該開口部７１７６は、ダクト部７１７において第２方向Ａ２側に位置する側壁部７１７２に形成されていた。しかしながら、本発明はこれに限らない。例えば、開口部７１７６は、ダクト部７１７において第２方向Ａ２とは反対側の側壁部７１７１に形成されていてもよく、第１方向Ａ１及び第２方向Ａ２のそれぞれに直交する方向の側壁部（例えば、側壁部７１７４）に形成されていてもよい。すなわち、開口部７１７６の形成位置は、どの側壁部でもよい。更に、ダクト部７１７において側壁部７１７３に形成された開口部７１７６を通過した空気がダクト部７１８を流通するように構成してもよい。この場合、開口部７１７６を、側壁部７１７３におけるＺ方向とは反対側の位置に形成し、当該開口部７１７６を通過した空気を、ダクト部７１８に案内してもよい。
【００７５】
上記第１実施形態では、板状のメッシュ７１７７は、第１方向Ａ１に直交する位置に配置されるとした。しかしながら、本発明はこれに限らない。すなわち、開口部７１７６を覆う位置に配置され、光源装置４１から排出された空気から光源ランプ４１１の破片（粉塵）を捕獲できれば、メッシュ７１７７は、どのような向き及び位置に配置されていてもよい。例えば、メッシュ７１７７は、第１方向Ａ１に傾斜して配置されていてもよい。
また、メッシュ７１７７は、金属製に限らず、強度及び耐久性を確保できれば樹脂製等であってもよい。
【００７６】
上記第１実施形態では、開口部７１７６は、側壁部７１７３におけるＺ方向側の端部にスリット状に形成されるとした。しかしながら、本発明はこれに限らない。すなわち、遮光性等を考慮しなければ、側壁部７１７３における中央に形成してもよい。
上記第１実施形態では、メッシュ７１７７は、開口部７１７６に対して第１方向Ａ１とは反対側（すなわち、開口部７１７６を通過する空気の流路における上流側）に位置するとした。しかしながら、本発明はこれに限らない。すなわち、当該メッシュ７１７７は、開口部７１７６に嵌め込まれていてもよい。また、メッシュ７１７７は、開口部７１７６を覆うように、当該開口部７１７６に対する下流側に配置されていてもよい。
【００７７】
上記各実施形態では、ファン６４は、空気の吸引方向及び排出方向がＺ方向とは反対方向に沿うようにダクト７，７Ｂ内に配置された他、空気の吸引方向及び排出方向がＸ方向に沿うようにダクト７Ａ，７Ｃ内に配置された。しかしながら、本発明はこれに限らない。例えば、ファン６４は、空気の吸引方向及び排出方向がＹ方向又はＹ方向とは反対方向に沿うようにダクト内に配置されてもよい。この場合、ファン６４により空気が排出される外装筐体２の排気口を、天面部２Ａ又は底面部２Ｂに形成すればよい。すなわち、光源ランプ４１１が破裂していない状態で、ダクト内に導入された光源冷却空気を導いてダクト部７１８に流通させることができれば、ファン６４の位置は問わない。更に、ファン６４は、軸流ファンに限らず、遠心力ファンであってもよい。
【００７８】
上記各実施形態では、メッシュ７１７７によって捕獲された光源ランプ４１１の破片を、ダクト部７１７，７１７Ｂ内に留める構成であった。これに対し、メッシュ７１７７の配置位置から鉛直方向に凹む凹部をダクト部７１７，７１７Ｂに形成し、メッシュ７１７７によって捕獲された破片（粉塵）が当該凹部内に落下することで、破片がより確実に飛散しないように構成してもよい。
【００７９】
上記各実施形態では、光源装置４１は、光源ランプ４１１、リフレクター４１２及び平行化レンズ４１３と、これらを内部に収納するハウジング４１４と、を有する構成とした。このような光源装置４１は、プロジェクター１，１Ｂに１つ設けられる構成に限らず、複数の光源装置４１が設けられていてもよい。この場合、それぞれの光源装置４１に応じて上記ダクト（例えば、ダクト７）を設けてもよく、各光源装置４１から排出される空気を１つのダクトによって収集する構成としてもよい。
【００８０】
上記各実施形態では、画像形成装置４は、Ｙ方向側から見て略Ｌ字状に構成されるとした。しかしながら、本発明はこれに限らない。例えば、画像形成装置４は、Ｙ方向側から見て略Ｕ字状に構成されてもよい。
上記各実施形態では、プロジェクター１，１Ｂは、３つの液晶パネル４５３（４５３Ｒ，４５３Ｇ，４５３Ｂ）を備えるとした。しかしながら、本発明はこれに限らない。すなわち、２つ以下、あるいは、４つ以上の液晶パネルを用いたプロジェクターにも、本発明を適用可能である。また、採用される液晶パネルも、光入射面と光射出面とが異なる透過型の液晶パネル４５３に限らず、光入射面と光射出面とが同一となる反射型の液晶パネルを用いてもよい。更に、入射光を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００８１】
上記各実施形態では、画像の投射方向と、当該画像の観察方向とが略同じであるフロントタイプのプロジェクター１，１Ｂを例示した。しかしながら、本発明はこれに限らない。例えば、投射方向と観察方向とがそれぞれ反対方向となるリアタイプのプロジェクターにも、本発明を適用可能である。
【符号の説明】
【００８２】
１，１Ｂ…プロジェクター、４１…光源装置、４１１…光源ランプ、４１４…ハウジング、７，７Ａ〜７Ｃ…ダクト、６４…ファン、４１５１…排気口、７１１…導入口、７１６…分岐部、７１７，７１７Ｂ…ダクト部（第１ダクト部）、７１８…ダクト部（第２ダクト部）、７１７１〜７１７４…側壁部、７１７６…開口部、７１７７…メッシュ、Ａ１…第１方向、Ａ２…第２方向。
【図１】
0006435677.tif 000002
【図２】
0006435677.tif 000003
【図３】
0006435677.tif 000004
【図４】
0006435677.tif 000005
【図５】
0006435677.tif 000006
【図６】
0006435677.tif 000007
【図７】
0006435677.tif 000008
【図８】
0006435677.tif 000009
【図９】
0006435677.tif 000010
【図１０】
0006435677.tif 000011
【図１１】
0006435677.tif 000012
【図１２】
0006435677.tif 000013